【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
調節式眼内レンズシステムであって、
第１の光学構成要素、前記第１の光学構成要素の後部の第２の光学構成要素、前記第１の光学構成要素と前記第２の光学構成要素との間の内側流体チャンバ、及び前記内側流体チャンバに流体工学的に連結された外側流体リザーバを含む調節構造であって、前記外側流体リザーバが、前記内側流体チャンバの少なくとも一部分の回りにあり、流体が前記外側流体リザーバと前記内側流体チャンバとの間で流れて、調節を提供するための前記第１の光学構成要素を移動させるように生来の眼胞と接続し、接触するように構成される、外壁を備える、調節構造と、
動作可能で前記生来の眼細胞内にあるとき、前記調節構造に着脱自在に連結されるように構成された固定レンズであって、それにより、前記固定レンズが前記第１の光学構成要素の前部にあり、前記固定レンズは、固定光学能を有する、固定レンズと
を備える、調節式眼内レンズシステム。
【請求項２】
前記固定レンズが、光学部分、及び前記光学部分から突出するスカートを備え、前記スカートが、前記光学部分から後方に突出する環状壁を備える、請求項１に記載の調節式眼内レンズシステム。
【請求項３】
前記固定レンズが、前記スカートを通って横方向に延在する通路をさらに備え、前記通路が前記光学部分を通って延在しない、請求項２に記載の調節式眼内レンズシステム。
【請求項４】
前記外側流体リザーバが、第１のベローズ構造、前記第１のベローズ構造から半径方向に内向きの第２のベローズ構造、及び前記第１のベローズ構造と前記第２のベローズ構造との間の中間ベローズチャネル構造を備え、前記中間ベローズチャネル構造が横断方向部分を含み、前記第１のベローズ構造が、前記横断方向部分から前方に突出する前部及び前記横断方向部分から後方に突出する後部を有する、請求項１に記載の調節式眼内レンズシステム。
【請求項５】
前記第１のベローズ構造の前記前部及び前記後部が、動作中、前記横断方向部分の最も外側のセクションに対して半径方向に内向きに曲がるように構成される、請求項４に記載の調節式眼内レンズシステム。
【請求項６】
前記前部又は前記後部の少なくとも一方が、前記内側流体チャンバと前記外側流体リザーバとの間にスタンドオフを含み、前記スタンドオフが、前記流体が前記内側流体チャンバと前記外側流体リザーバとの間を流れるために前記内側流体チャンバと前記外側流体リザーバの間にチャネルを画定する、請求項４に記載の調節構造。
【請求項７】
継ぎ目から半径方向に内向きで、前記第１の光学構成要素と前記第２の光学構成要素との間に位置している、複数の付着特徴をさらに備える、請求項１に記載の調節構造。
【請求項８】
前記外側流体リザーバが、前部及び後部を有する第１のベローズ構造、前記第１のベローズ構造から半径方向に内向きの第２のベローズ構造、及び前記第１のベローズ構造と前記第２のベローズ構造との間の水平通路によって画定された中間ベローズチャネル構造を備え、前記第１のベローズ構造の前記前部及び前記後部が、動作中、前記中間ベローズチャネルに対して半径方向に内向きに移動するように、前記第１のベローズ構造の中間部分が、前記中間ベローズチャネル構造によって抑制される、請求項１に記載の調節式眼内レンズシステム。
【請求項９】
調節式眼内レンズシステムであって、
生来の眼の基準系に対して、前部及び後部を有する調節構造であって、前記前部及び前記後部が、（ａ）内側流体チャンバを有する光学構造、及び（ｂ）外側流体リザーバを画定し、前記外側流体リザーバが、生来の眼胞と接触するように構成された外壁を含み、前記外側流体リザーバが、前記光学構造の形状を変更するために、流体が前記外側流体リザーバと前記内側流体チャンバの間を流れるように、前記外側流体リザーバが生来の眼胞と接続するように構成される、調節構造と、
固定光学能を有する固定レンズであって、前記調節構造が動作可能で前記生来の眼胞内にある間、前記固定レンズが前記調節構造の前記前部に連結され、前記前部から分離されるように構成される、固定レンズと
を備える、調節式眼内レンズシステム。
【請求項１０】
前記固定レンズが、光学部分、及び前記光学部分から突出するスカートを備え、前記スカートが、前記光学部分から後方に突出する環状壁を備える、請求項９に記載の調節式眼内レンズシステム。
【請求項１１】
前記固定レンズが、前記スカートを通って横方向に延在する通路をさらに備え、前記通路が前記光学部分を通って延在しない、請求項１０に記載の調節式眼内レンズシステム。
【請求項１２】
前記外側流体リザーバが、第１のベローズ構造、前記第１のベローズ構造の半径方向に内向きの第２のベローズ構造、及び前記第１のベローズ構造と前記第２のベローズ構造との間の中間ベローズチャネル構造を備え、前記中間ベローズチャネル構造が横断方向部分を含み、前記第１のベローズ構造が（ａ）前記横断方向部分から前方に突出する前部、及び（ｂ）前記横断方向部分から後方に突出する後部を有する、請求項９に記載の調節式眼内レンズシステム。
【請求項１３】
前記第１のベローズ構造の前記前部及び前記後部が、動作中、前記横断方向部分の最も外側のセクションに対して半径方向に内向きに曲がるように構成される、請求項１２に記載の調節式眼内レンズシステム。
【請求項１４】
前記調節構造の前記前部又は前記後部の少なくとも一方が、前記内側流体チャンバと前記外側流体リザーバとの間にスタンドオフを備え、前記スタンドオフが、前記流体が前記内側流体チャンバと前記外側流体リザーバとの間を流れるために前記内側流体チャンバと前記外側流体リザーバとの間にチャネルを画定する、請求項９に記載の調節構造。
【請求項１５】
前記スタンドオフの少なくとも一部分が、前記調節構造の前記前部又は前記後部の他方に接着される、請求項１４に記載の調節構造。
【請求項１６】
前記外側流体リザーバが、前部及び後部を有する第１のベローズ構造、前記第１のベローズ構造の半径方向に内向きの第２のベローズ構造、及び前記第１のベローズ構造と前記第２のベローズ構造との間の水平通路によって画定された中間ベローズチャネルを備え、前記第１のベローズ構造の前記前部及び前記後部が、動作中、前記中間ベローズチャネルに対して半径方向に内向きに移動するように、前記第１のベローズ構造の中間部分が、前記中間ベローズチャネル構造によって抑制される、請求項９に記載の調節式眼内レンズシステム。
【請求項１７】
調節式眼内レンズシステムであって、
第１の光学構成要素、前記第１の光学構成要素の後部の第２の光学構成要素、前記第１の光学構成要素と前記第２の光学構成要素との間の内側流体チャンバ、及び前記内側流体チャンバに流体工学的に連結された外側流体リザーバを含む調節構造であって、前記外側流体リザーバが、前記内側流体チャンバの少なくとも一部分の回りにあり、流体が前記外側流体リザーバと前記内側流体チャンバとの間で流れて、調節を提供するための前記第１の光学構成要素を移動させるように生来の眼胞と接続し、接触するように構成される、外壁を備える、調節構造と、
前記調節構造に着脱自在に連結されるように構成された固定レンズであって、それにより、前記固定レンズが前記第１の光学構成要素の前部にあり、前記固定レンズは、固定光学能を有する、固定レンズと
を備え、
前記外側流体リザーバが、第１のベローズ構造、前記第１のベローズ構造から半径方向に内向きの第２のベローズ構造、及び前記第１のベローズ構造と前記第２のベローズ構造との間の中間ベローズチャネル構造を備え、前記中間ベローズチャネル構造が横断方向部分を含み、前記第１のベローズ構造が、前記横断方向部分から前方に突出する前部及び前記横断方向部分から後方に突出する後部を有する、調節式眼内レンズシステム。
【請求項１８】
調節式眼内レンズシステムであって、
第１の光学構成要素、前記第１の光学構成要素の後部の第２の光学構成要素、前記第１の光学構成要素と前記第２の光学構成要素との間の内側流体チャンバ、及び前記内側流体チャンバに流体工学的に連結された外側流体リザーバを含む調節構造であって、前記外側流体リザーバが、前記内側流体チャンバの少なくとも一部分の回りにあり、流体が前記外側流体リザーバと前記内側流体チャンバとの間で流れて、調節を提供するための前記第１の光学構成要素を移動させるように生来の眼胞と接続し、接触するように構成される、外壁を備える、調節構造と、
前記調節構造に着脱自在に連結されるように構成された固定レンズであって、それにより、前記固定レンズが前記第１の光学構成要素の前部にあり、前記固定レンズは、固定光学能を有する、固定レンズと
を備え、
前記外側流体リザーバが、前部及び後部を有する第１のベローズ構造、前記第１のベローズ構造から半径方向に内向きの第２のベローズ構造、及び前記第１のベローズ構造と前記第２のベローズ構造との間の水平通路によって画定された中間ベローズチャネル構造を備え、前記第１のベローズ構造の前記前部及び前記後部が、動作中、前記中間ベローズチャネルに対して半径方向に内向きに移動するように、前記第１のベローズ構造の中間部分が、前記中間ベローズチャネル構造によって抑制される、調節式眼内レンズシステム。
【請求項１９】
調節式眼内レンズシステムであって、
生来の眼の基準系に対して、前部及び後部を有する調節構造であって、前記前部及び前記後部が、（ａ）内側流体チャンバを有する光学構造、及び（ｂ）外側流体リザーバを画定し、前記外側流体リザーバが、生来の眼胞と接触するように構成された外壁を含み、前記外側流体リザーバが、前記光学構造の形状を変更するために、流体が前記外側流体リザーバと前記内側流体チャンバの間を流れるように、前記外側流体リザーバが生来の眼胞と接続するように構成される、調節構造と、
固定光学能を有する固定レンズであって、前記調節構造が、前記生来の眼胞内に移植される間、前記固定レンズが前記調節構造の前記前部に連結され、前記前部から分離されるように構成される、固定レンズと
を備え、
前記外側流体リザーバが、第１のベローズ構造、前記第１のベローズ構造の半径方向に内向きの第２のベローズ構造、及び前記第１のベローズ構造と前記第２のベローズ構造との間の中間ベローズチャネル構造を備え、前記中間ベローズチャネル構造が横断方向部分を含み、前記第１のベローズ構造が（ａ）前記横断方向部分から前方に突出する前部、及び（ｂ）前記横断方向部分から後方に突出する後部を有する、調節式眼内レンズシステム。
【請求項２０】
調節式眼内レンズシステムであって、
生来の眼の基準系に対して、前部及び後部を有する調節構造であって、前記前部及び前記後部が、（ａ）内側流体チャンバを有する光学構造、及び（ｂ）外側流体リザーバを画定し、前記外側流体リザーバが、生来の眼胞と接触するように構成された外壁を含み、前記外側流体リザーバが、前記光学構造の形状を変更するために、流体が前記外側流体リザーバと前記内側流体チャンバの間を流れるように、前記外側流体リザーバが生来の眼胞と接続するように構成される、調節構造と、
固定光学能を有する固定レンズであって、前記調節構造が、前記生来の眼胞内に移植される間、前記固定レンズが前記調節構造の前記前部に連結され、前記前部から分離されるように構成される、固定レンズと
を備え、
前記外側流体リザーバが、前部及び後部を有する第１のベローズ構造、前記第１のベローズ構造の半径方向に内向きの第２のベローズ構造、及び前記第１のベローズ構造と前記第２のベローズ構造との間の水平通路によって画定された中間ベローズチャネルを備え、前記第１のベローズ構造の前記前部及び前記後部が、動作中、前記中間ベローズチャネルに対して半径方向に内向きに移動するように、前記第１のベローズ構造の中間部分が、前記中間ベローズチャネル構造によって抑制される、調節式眼内レンズシステム。
【手続補正２】
【補正対象書類名】明細書
【補正対象項目名】００９７
【補正方法】変更
【補正の内容】
【００９７】
いくつかの実施形態では、外側流体リザーバ及び内側流体チャンバは、内側流体チャンバの中への水の移動を抑制する又は完全に不可能にする疎水性油を充填される。例えば、疎水性油は、以下、つまり炭化水素（ＨＹＤＲＯＢＲＩＴＥ  ５５０）、ポリジメチルシロキサン、ポリオクチルメチルシロキサン’ポリ（２−フェニルプロピル）メチルシロキサン（ＰＯＬＹ（２−ＰＨＥＮＹＬＰＲＯＰＹＬ）ＭＥＴＨＹＬＳＩＬＯＸＡＮＥ）、フェニルメチルシロキサンオリゴマー、フェニルメチルシロキサン−ジメチルシロキサンコポリマー、ジフェニルシロキサン−ジメチルシロキサンコポリマー、フェニルメチルシロキサン−ジメチルシロキサンコポリマー、１，１，３，５，５−ペンタフェニル−１，３，５のうちの任意から選択できる。この流体は、本明細書に説明される任意のＡＩＯＬに適用できる。
本願明細書は、例えば、以下の項目も提供する。
（項目１）
調節式眼内レンズシステムであって、
第１の光学構成要素、前記第１の光学構成要素の後部の第２の光学構成要素、前記第１の光学構成要素と前記第２の光学構成要素との間の内側流体チャンバ、及び前記内側流体チャンバに流体工学的に連結された外側流体リザーバを含む調節構造であって、前記外側流体リザーバが、前記内側流体チャンバの少なくとも一部分の回りにあり、流体が前記外側流体リザーバと前記内側流体チャンバとの間で流れて、調節を提供するための前記第１の光学部材を移動させるために生来の眼胞と接続するように構成される前記調節構造と、
固定レンズが前記第１の光学構成要素の前部にあるように、前記調節構造に着脱自在に連結されるように構成された前記固定レンズであって、固定光学能を有する前記固定レンズと
を備える、調節式眼内レンズシステム。
（項目２）
前記固定レンズが、光学部分、及び前記光学部分から突出するスカートを備える、項目１に記載の調節式眼内レンズシステム。
（項目３）
前記スカートが、前記光学部分から後方に突出する環状壁を備える、項目２に記載の調節式眼内レンズシステム。
（項目４）
前記スカートが、前記光学部分から後方に半径方向に外向きに広がる、項目３に記載の調節式眼内レンズシステム。
（項目５）
前記固定レンズが、前記スカートを通る通路をさらに備える、項目３に記載の調節式眼内レンズシステム。
（項目６）
前記固定レンズが、前記スカートを通って横方向に延在する通路をさらに備え、前記通路が前記光学部分を通って延在しない、項目３に記載の調節式眼内レンズシステム。
（項目７）
前記固定レンズが通路を備える、項目１に記載の調節式眼内レンズシステム。
（項目８）
前記固定レンズが正の光学能を有する、項目１に記載の調節式眼内レンズシステム。
（項目９）
前記固定レンズが負の光学能を有する、項目１に記載の調節式眼内レンズシステム。
（項目１０）
前記固定レンズの前記光学能がゼロである、項目１に記載の調節式眼内レンズシステム。
（項目１１）
前記固定レンズが非対称レンズを備える、項目１に記載の調節式眼内レンズシステム。
（項目１２）
前記光学構造が前部構成要素及び後部構成要素を有し、前記前部構成要素が、前記第１の光学構成要素及び前記第１の光学構成要素の回りの第１の周辺領域を含み、前記後部構成要素が、前記第２の光学構成要素及び前記第２の光学構成要素の回りの第２の周辺領域を含み、前記第１の及び第２の周辺領域が前記外側流体リザーバを画定するように、前記第１の周辺領域が継ぎ目に沿って前記第２の周辺領域に付着される、項目１に記載の調節式眼内レンズシステム。
（項目１３）
前記外側流体リザーバが、第１のベローズ構造、前記第１のベローズ構造から半径方向に内向きの第２のベローズ構造、及び前記第１のベローズ構造と前記第２のベローズ構造との間の中間ベローズチャネル構造を備え、前記中間ベローズチャネル構造が横断方向部分を含み、前記第１のベローズ構造が、前記横断方向部分から前方に突出する前部及び前記横断方向部分から後方に突出する後部を有する、項目１２に記載の調節式眼内レンズシステム。
（項目１４）
前記第１のベローズ構造の前記前部及び前記後部が、動作中、前記横断方向部分の最も外側のセクションに対して半径方向に内向きに曲がるように構成される、項目１３に記載の調節式眼内レンズシステム。
（項目１５）
前記前部又は後部の少なくとも一方が、前記内側流体チャンバと前記外側流体リザーバとの間にスタンドオフを含み、前記スタンドオフが、流体が前記内側流体チャンバと前記外側流体リザーバとの間を流れるために前記内側流体チャンバと前記外側流体リザーバの間にチャネルを画定する、項目１２に記載の調節式眼内レンズシステム。
（項目１６）
前記スタンドオフの少なくとも一部分が、前記前部又は前記後部の他方に接着される、項目１５に記載の調節式眼内レンズシステム。
（項目１７）
前記外側流体リザーバの最後部の後部に細胞ダムをさらに備える、項目１２に記載の調節式眼内レンズシステム。
（項目１８）
前記外側流体リザーバが、前部及び後部を有する第１のベローズ構造、前記第１のベローズ構造から半径方向に内向きの第２のベローズ構造、及び前記第１のベローズ構造と前記第２のベローズ構造との間の水平通路によって画定された中間ベローズチャネル構造を備え、前記第１のベローズ構造の前記前部及び前記後部が、動作中、前記中間ベローズチャネルに対して半径方向に内向きに移動するように、前記第１のベローズ構造の中間部分が、前記中間ベローズチャネル構造によって抑制される、項目１に記載の調節式眼内レンズシステム。
（項目１９）
前記外側流体リザーバが、外側フロースルー特徴を画定する半径方向の内向きの凹部を有する、項目１に記載の調節式眼内レンズシステム。
（項目２０）
前記調節構造を光学流体で充填するために使用されるニードルのための経路を画定する少なくとも１つの肥厚部分をさらに備える、項目１に記載の調節式眼内レンズシステム。
（項目２１）
調節式眼内レンズシステムであって、
生来の眼の基準系に対して、前部及び後部を有する調節構造であって、前記前部及び前記後部が、（ａ）内側流体チャンバを有する光学構造、及び（ｂ）外側流体リザーバを画定し、前記光学構造の形状を変更するために、流体が前記外側流体リザーバと前記内側流体チャンバの間を流れるように、前記外側流体リザーバが生来の眼胞と接続するように構成される、前記調節構造と、
固定光学能を有する固定レンズであって、前記調節構造が、生来の眼胞内に移植される間、前記固定レンズが前記調節構造の前記前部に連結され、前記前部から分離される、前記固定レンズと
を備える、調節式眼内レンズシステム。
（項目２２）
前記固定レンズが、光学部分、及び前記光学部分から突出するスカートを備える、項目２１に記載の調節式眼内レンズシステム。
（項目２３）
前記スカートが、前記光学部分から後方に突出する環状壁を備える、項目２２に記載の調節式眼内レンズシステム。
（項目２４）
前記スカートが、前記光学部分から後方に半径方向外向きに広がる、項目２３に記載の調節式眼内レンズシステム。
（項目２５）
前記固定レンズが、前記スカートを通る通路をさらに備える、項目２３に記載の調節式眼内レンズシステム。
（項目２６）
前記固定レンズが、前記スカートを通って横方向に延在する通路をさらに備え、前記通路が前記光学部分を通って延在しない、項目２３に記載の調節式眼内レンズシステム。
（項目２７）
前記固定レンズが通路を備える、項目２１に記載の調節式眼内レンズシステム。
（項目２８）
前記固定レンズが正の光学能を有する、項目２１に記載の調節式眼内レンズシステム。
（項目２９）
前記固定レンズが負の光学能を有する、項目２１に記載の調節式眼内レンズシステム。
（項目３０）
前記固定レンズの前記光学能がゼロである、項目２１に記載の調節式眼内レンズシステム。
（項目３１）
前記固定レンズが非対称レンズを備える、項目２１に記載の調節式眼内レンズシステム。
（項目３２）
前記調節構造の前記前部が、第１の光学構成要素及び前記第１の光学構成要素の回りの第１の周辺領域を含み、
前記調節構造の前記後部が、第２の光学構成要素及び前記第２の光学構成要素の回りの第２の周辺領域を含み、
前記第１の周辺領域が、前記第１の及び第２の周辺領域が前記外側流体リザーバを画定するように、継ぎ目に沿って前記第２の周辺領域に付着される
項目２１に記載の調節式眼内レンズシステム。
（項目３３）
前記外側流体リザーバが、第１のベローズ構造、前記第１のベローズ構造の半径方向に内向きの第２のベローズ構造、及び前記第１のベローズ構造と前記第２のベローズ構造との間の中間ベローズチャネル構造を備え、前記中間ベローズチャネル構造が横断方向部分を含み、前記第１のベローズ構造が（ａ）前記横断方向部分から前方に突出する前部、及び（ｂ）前記横断方向部分から後方に突出する後部を有する、項目３２に記載の調節式眼内レンズシステム。
（項目３４）
前記第１のベローズ構造の前記前部及び前記後部が、動作中、前記横断方向部分の最も外側のセクションに対して半径方向に内向きに曲がるように構成される、項目３３に記載の調節式眼内レンズシステム。
（項目３５）
前記調節構造の前記前部又は前記後部の少なくとも一方が、前記内側流体チャンバと前記外側流体リザーバとの間にスタンドオフを備え、前記スタンドオフが、流体が前記内側流体チャンバと前記外側流体リザーバとの間を流れるために前記内側流体チャンバと前記外側流体リザーバとの間にチャネルを画定する、項目３２に記載の調節式構造。
（項目３６）
前記スタンドオフの少なくとも一部分が、前記調節構造の前記前部又は前記後部の他方に接着される、項目３５に記載の調節式構造。
（項目３７）
前記外側流体リザーバの最後部の後部に細胞ダムをさらに備える、項目３２に記載の調節式眼内レンズシステム。
（項目３８）
前記外側流体リザーバが、前部及び後部を有する第１のベローズ構造、前記第１のベローズ構造の半径方向に内向きの第２のベローズ構造、及び前記第１のベローズ構造と前記第２のベローズ構造との間の水平通路によって画定された中間ベローズチャネルを備え、前記第１のベローズ構造の前記前部及び前記後部が、動作中、前記中間ベローズチャネルに対して半径方向に内向きに移動するように、前記第１のベローズ構造の中間部分が、前記中間ベローズチャネル構造によって抑制される、項目２１に記載の調節式眼内レンズシステム。
（項目３９）
前記外側流体リザーバが、外側フロースルー特徴を画定する半径方向の内向きの凹部を有する、項目２１に記載の調節式眼内レンズシステム。
（項目４０）
前記調節構造を光学流体で充填するために使用されるニードルのための経路を画定する少なくとも１つの肥厚部分をさらに含む、項目２１に記載の調節式眼内レンズシステム。
（項目４１）
調節式眼内レンズシステムであって、
キットであって、
第１の光学構成要素、前記第１の光学構成要素の後部の第２の光学構成要素、前記第１の光学構成要素と前記第２の光学構成要素との間の内側流体チャンバ、及び前記内側流体チャンバに流体工学的に連結された外側流体リザーバを含む調節構造であって、前記外側流体リザーバが、前記内側流体チャンバの少なくとも一部分の回りにあり、流体が前記外側流体リザーバと前記内側流体チャンバとの間で流れて、調節を提供するための前記第１の光学部材を移動させるために生来の眼胞と接続するように構成される前記調節構造と、
第１の固定レンズが前記第１の光学構成要素の前部にあるように、前記調節構造に着脱自在に連結されるように構成された前記第１の固定レンズであって、光学能を有さない前記第１の固定レンズと
を含むキットと、
第２の固定レンズが前記第１の光学部材の前部にあるように、前記第１の固定レンズの代わりに前記調節構造に着脱自在に連結されるように構成された前記第２の固定レンズであって、光学能を有する前記第２の固定レンズと
を備える、調節式眼内レンズシステム。
（項目４２）
前記第１の固定レンズ及び前記第２の固定レンズの前記それぞれが、光学部分、及び前記光学部分から突出するスカートを備える、項目４１に記載のシステム。
（項目４３）
前記スカートが、前記光学部分から後方に突出する環状壁を備える、項目４２に記載のシステム。
（項目４４）
前記スカートが、前記光学部分から後方に半径方向に外向きに広がる、項目４３に記載のシステム。
（項目４５）
前記第１の固定レンズ及び第２の固定レンズのそれぞれが、前記スカートを通して横方向に延在する通路をさらに備え、前記通路が、前記光学部分を通して延在しない、項目４３に記載のシステム。
（項目４６）
前記第１の固定レンズ又は前記第２の固定レンズの少なくとも一方が、非対称レンズを備える、項目４１に記載のシステム。
（項目４７）
前記光学構造が、前部構成要素及び後部構成要素を有し、前記前部構成要素が、前記第１の光学構成要素及び前記第１の光学構成要素の回りの第１の周辺領域を含み、前記後部構成要素が、前記第２の光学構成要素及び前記第２の光学構成要素の回りの第２の周辺領域を含み、前記第１の及び第２の周辺領域が前記外側流体リザーバを画定するように、前記第１の周辺領域が、継ぎ目に沿って前記第２の周辺領域に付着される、項目４１に記載のシステム。
（項目４８）
前記外側流体リザーバが、第１のベローズ構造、前記第１のベローズ構造の半径方向に内向きの第２のベローズ構造、及び前記第１のベローズ構造と前記第２のベローズ構造との間の中間ベローズチャネル構造を備え、前記中間ベローズチャネル構造が横断方向部分を含み、前記第１のベローズ構造が、前記横断方向部分から前方に突出する前部及び前記横断方向部分から後方に突出する後部を有する、項目４７に記載のシステム。
（項目４９）
前記第１のベローズ構造の前記前部及び前記後部が、動作中、前記横断方向部分の最も外側のセクションに対して半径方向に内向きに曲がるように構成される、項目４８に記載のシステム。
（項目５０）
前記前部又は前記後部の少なくとも一方が、前記内側流体チャンバと前記外側流体リザーバとの間にスタンドオフを備え、前記スタンドオフが、流体が前記内側流体チャンバと前記外側流体リザーバとの間で流れるために前記内側流体チャンバと前記外側流体リザーバの間にチャネルを画定する、項目４７に記載のシステム。
（項目５１）
前記スタンドオフの少なくとも一部分が、前記前部又は前記後部の他方に接着される、項目５０に記載のシステム。
（項目５２）
前記外側流体リザーバの最後部の後部に細胞ダムをさらに備える、項目４７に記載のシステム。
（項目５３）
前記外側流体リザーバが、前部及び後部を有する第１のベローズ構造、前記第１のベローズ構造の半径方向に内向きの第２のベローズ構造、及び前記第１のベローズ構造と前記第２のベローズ構造との間の水平通路によって画定された中間ベローズチャネル構造を備え、前記第１のベローズ構造の中間部分が、前記第１のベローズ構造の前記前部及び前記後部が、動作中、前記中間ベローズチャネルに対して半径方向に内向きに移動するように、前記中間ベローズチャネル構造によって抑制される、項目４１に記載のシステム。
（項目５４）
前記外側流体リザーバが、外側フロースルー特徴を画定する半径方向の内向きの凹部を有する、項目４１に記載のシステム。
（項目５５）
前記調節構造を光学流体で充填するために使用されるニードルのための経路を画定する少なくとも１つの肥厚部分をさらに備える、項目４１に記載のシステム。
（項目５６）
調節式眼内レンズシステムを実装する方法であって、
生来の眼胞の中に調節構造を移植することであって、前記調節構造が、第１の光学構成要素、前記第１の光学構成要素の後部の第２の光学構成要素、前記第１の光学構成要素と前記第２の光学構成要素との間の内側流体チャンバ、及び前記内側流体チャンバに流体工学的に連結された外側流体リザーバを有する、前記移植することと、
前記生来の眼胞の中に前記調節構造を移植した後、前記調節構造に固定レンズを連結することと
を含む、方法。
（項目５７）
前記固定レンズが第１の固定レンズを含み、前記方法が、（ａ）前記第１の固定レンズを前記調節構造から分離させることと、（ｂ）第２の固定レンズを前記調節構造に付着することとをさらに含み、前記第２の固定レンズが、前記第１の固定レンズとは異なる光学能を有する、項目５６に記載の方法。
（項目５８）
前記固定レンズが、光学部分、及び前記光学部分から後方に突出するスカートを備え、これにより前記固定レンズが前記調節構造に連結されるとき、眼房が前記固定レンズの前記光学部分と前記調節構造の前記第１の光学構成要素との間に形成される、項目５６に記載の方法。
（項目５９）
前記第１の光学構成要素が前部構成要素の部分であり、前記第２の光学構成要素が後部構成要素の部分であり、前記方法が、前記調節構造を移植する前に前記前部構成要素及び後部構成要素をともに連結し、流体工学的に密封することを含む、項目５６に記載の方法。
（項目６０）
前記前部構成要素及び前記後部構成要素が連結され、乾燥状態でともに流体工学的に密封され、前記調節構造を移植する前に、前記連結され、流体工学的に密封された前部構成要素及び後部構成要素を水和させることをさらに含む、項目５９に記載の方法。
（項目６１）
前記調節構造が割出しマークを有し、前記方法が、前記調節構造上の前記割出しマークに基づいて前記固定レンズを回転させることをさらに含む、項目５６に記載の方法。
（項目６２）
前記固定レンズが物理的特徴を有し、前記固定レンズを回転させる前記プロセスが、前記調節構造上の前記割出しマークに対して前記固定レンズの前記物理的特徴を位置合わせすることを含む、項目６１に記載の方法。
（項目６３）
前記固定レンズが第１の固定レンズを備え、前記方法が、
前記第１の固定レンズが眼の中の前記調節構造に連結された状態の前記移植された調節構造が、所望される調節を提供するかどうかを評価することと、
前記評価された調節が前記所望される調節とは異なるとき、前記第１の固定レンズを、異なる基礎倍率を有する第２の固定レンズで置換することと
をさらに含む、項目５６に記載の方法。